【手続補正書】
【提出日】平成29年12月7日(2017.12.7)
【手続補正１】
【補正対象書類名】明細書
【補正対象項目名】０００５
【補正方法】変更
【補正の内容】
【０００５】
以上の課題を解決するため、請求項１に記載の発明は、
遊技球が流下可能な遊技領域と、遊技を制御する遊技制御手段と、を備える遊技機において、
前記遊技領域に、
遊技球が入賞可能な始動入賞口と、
遊技球が入賞不能な閉状態と遊技球が入賞可能な開状態とに変換可能な普通変動入賞装置、第１特別変動入賞装置及び第２特別変動入賞装置と、を備え、
前記第１特別変動入賞装置は、内部に遊技球が流入可能な特定領域を備え、
前記遊技制御手段は、
前記始動入賞口への入賞に基づき変動表示ゲームを実行する変動表示ゲーム実行手段と、
所定条件の成立に基づき前記普通変動入賞装置を開状態に変換するように制御する普通変動入賞装置制御手段と、
前記普通変動入賞装置への遊技球の入賞に基づき前記第１特別変動入賞装置を開状態に変換可能な第１特別変動入賞装置制御手段と、
前記変動表示ゲームの結果が特別結果となった場合又は前記第１特別変動入賞装置に入賞した遊技球が前記特定領域に流入することに基づき、前記第２特別変動入賞装置を開状態に変換する特別遊技状態を発生させるように制御する特別遊技状態発生手段と、
前記特別遊技状態の終了後に、前記普通変動入賞装置を開状態とすることが可能な特定遊技状態を、前記変動表示ゲームを所定回数実行する所定期間に亘り設定するように制御することが可能な特定遊技状態制御手段と、を備え、
前記特定遊技状態制御手段は、
前記特定遊技状態とする前記変動表示ゲームの回数を複数の値から選択することにより、前記特定遊技状態が継続する期間を選択することを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項２に記載の発明は、
遊技球が流下可能な遊技領域と、遊技を制御する遊技制御手段と、を備える遊技機において、
前記遊技領域に、
遊技球が入賞可能な始動入賞口と、
遊技球が入賞不能な閉状態と遊技球が入賞可能な開状態とに変換可能な普通変動入賞装置、第１特別変動入賞装置及び第２特別変動入賞装置と、を備え、
前記第１特別変動入賞装置は、内部に遊技球が流入可能な特定領域を備え、
前記遊技制御手段は、
前記始動入賞口への遊技球の入賞に基づき抽出した各種の乱数値を、所定数を上限に第１の変動表示ゲームを実行する権利をなす第１始動記憶として記憶可能な第１始動記憶手段と、
所定の始動条件の成立に基づき抽出した各種の乱数値を、所定数を上限に第２の変動表示ゲームを実行する権利をなす第２始動記憶として記憶可能な第２始動記憶手段と、
前記第１始動記憶に基づき前記第１の変動表示ゲームを実行する第１変動表示ゲーム実行手段と、
前記第２始動記憶に基づき前記第２の変動表示ゲームを実行する第２変動表示ゲーム実行手段と、
前記第２始動記憶手段に第２始動記憶がある場合には、当該第２始動記憶に基づく第２の変動表示ゲームを、前記第１始動記憶に基づく第１の変動表示ゲームよりも優先的に実行する優先制御手段と、
所定条件の成立に基づき前記普通変動入賞装置を開状態に変換するように制御する普通変動入賞装置制御手段と、
前記普通変動入賞装置への遊技球の入賞に基づき前記第１特別変動入賞装置を開状態に変換可能な第１特別変動入賞装置制御手段と、
前記第１の変動表示ゲームの結果が特別結果となった場合又は前記第１特別変動入賞装置に入賞した遊技球が前記特定領域に流入することに基づき、前記第２特別変動入賞装置を開状態に変換する特別遊技状態を発生させるように制御する特別遊技状態発生手段と、
前記特別遊技状態の終了後に、前記普通変動入賞装置を開状態とすることが可能な特定遊技状態を、所定期間に亘り設定するように制御することが可能な特定遊技状態制御手段と、を備え、
前記特定遊技状態において、前記第２変動表示ゲーム実行手段が設定する前記第２の変動表示ゲームの実行時間は、前記第１変動表示ゲーム実行手段が設定する前記第１の変動表示ゲームの実行時間よりも長いことを特徴とする。
【手続補正８】
【補正対象書類名】明細書
【補正対象項目名】００１２
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
遊技球が流下可能な遊技領域と、遊技を制御する遊技制御手段と、を備える遊技機において、
前記遊技領域に、
遊技球が入賞可能な始動入賞口と、
遊技球が入賞不能な閉状態と遊技球が入賞可能な開状態とに変換可能な普通変動入賞装置、第１特別変動入賞装置及び第２特別変動入賞装置と、を備え、
前記第１特別変動入賞装置は、内部に遊技球が流入可能な特定領域を備え、
前記遊技制御手段は、
前記始動入賞口への入賞に基づき変動表示ゲームを実行する変動表示ゲーム実行手段と、
所定条件の成立に基づき前記普通変動入賞装置を開状態に変換するように制御する普通変動入賞装置制御手段と、
前記普通変動入賞装置への遊技球の入賞に基づき前記第１特別変動入賞装置を開状態に変換可能な第１特別変動入賞装置制御手段と、
前記変動表示ゲームの結果が特別結果となった場合又は前記第１特別変動入賞装置に入賞した遊技球が前記特定領域に流入することに基づき、前記第２特別変動入賞装置を開状態に変換する特別遊技状態を発生させるように制御する特別遊技状態発生手段と、
前記特別遊技状態の終了後に、前記普通変動入賞装置を開状態とすることが可能な特定遊技状態を、前記変動表示ゲームを所定回数実行する所定期間に亘り設定するように制御することが可能な特定遊技状態制御手段と、を備え、
前記特定遊技状態制御手段は、
前記特定遊技状態とする前記変動表示ゲームの回数を複数の値から選択することにより、前記特定遊技状態が継続する期間を選択することを特徴とする遊技機。
【請求項２】
遊技球が流下可能な遊技領域と、遊技を制御する遊技制御手段と、を備える遊技機において、
前記遊技領域に、
遊技球が入賞可能な始動入賞口と、
遊技球が入賞不能な閉状態と遊技球が入賞可能な開状態とに変換可能な普通変動入賞装置、第１特別変動入賞装置及び第２特別変動入賞装置と、を備え、
前記第１特別変動入賞装置は、内部に遊技球が流入可能な特定領域を備え、
前記遊技制御手段は、
前記始動入賞口への遊技球の入賞に基づき抽出した各種の乱数値を、所定数を上限に第１の変動表示ゲームを実行する権利をなす第１始動記憶として記憶可能な第１始動記憶手段と、
所定の始動条件の成立に基づき抽出した各種の乱数値を、所定数を上限に第２の変動表示ゲームを実行する権利をなす第２始動記憶として記憶可能な第２始動記憶手段と、
前記第１始動記憶に基づき前記第１の変動表示ゲームを実行する第１変動表示ゲーム実行手段と、
前記第２始動記憶に基づき前記第２の変動表示ゲームを実行する第２変動表示ゲーム実行手段と、
前記第２始動記憶手段に第２始動記憶がある場合には、当該第２始動記憶に基づく第２の変動表示ゲームを、前記第１始動記憶に基づく第１の変動表示ゲームよりも優先的に実行する優先制御手段と、
所定条件の成立に基づき前記普通変動入賞装置を開状態に変換するように制御する普通変動入賞装置制御手段と、
前記普通変動入賞装置への遊技球の入賞に基づき前記第１特別変動入賞装置を開状態に変換可能な第１特別変動入賞装置制御手段と、
前記第１の変動表示ゲームの結果が特別結果となった場合又は前記第１特別変動入賞装置に入賞した遊技球が前記特定領域に流入することに基づき、前記第２特別変動入賞装置を開状態に変換する特別遊技状態を発生させるように制御する特別遊技状態発生手段と、
前記特別遊技状態の終了後に、前記普通変動入賞装置を開状態とすることが可能な特定遊技状態を、所定期間に亘り設定するように制御することが可能な特定遊技状態制御手段と、を備え、
前記特定遊技状態において、前記第２変動表示ゲーム実行手段が設定する前記第２の変動表示ゲームの実行時間は、前記第１変動表示ゲーム実行手段が設定する前記第１の変動表示ゲームの実行時間よりも長いことを特徴とする遊技機。